(57)【要約】【課題】静電気により太陽電池が破壊される可能性を低減できる太陽電池付き時計を提供すること。【解決手段】時計は、発電層、および、発電層の裏面に設けられた導電性基板を備えた太陽電池３２と、太陽電池３２の裏面側に配置されたムーブメント２０と、を備え、導電性基板は、発電層の電極を構成し、導電性基板の裏面には、絶縁層３４が設けられている。これによれば、時計に静電気が印加された場合に、太陽電池３２の裏面側に配置されたムーブメント２０から導電性基板に対して放電が起こる可能性を低減でき、静電気により太陽電池３２の発電層が破壊されることを抑制できる。【選択図】図４
2016118404.tif 000002
【特許請求の範囲】
【請求項１】
発電層、および、前記発電層の裏面に設けられた導電性基板を備えた太陽電池と、
前記太陽電池の裏面側に配置されたムーブメントと、を備え、
前記導電性基板は、前記発電層の電極を構成し、
前記導電性基板の裏面には、絶縁層が設けられている
ことを特徴とする太陽電池付き時計。
【請求項２】
請求項１に記載の太陽電池付き時計において、
前記絶縁層は、前記導電性基板の側面にも設けられている
ことを特徴とする太陽電池付き時計。
【請求項３】
請求項１または請求項２に記載の太陽電池付き時計において、
前記ムーブメントは、導電性部材により形成された筒車を備え、
前記太陽電池付き時計は、前記筒車と前記太陽電池の間に配置され、導電性部材により形成された針座を備え、
前記針座は、前記絶縁層に接している
ことを特徴とする太陽電池付き時計。
【請求項４】
請求項１から請求項３のいずれか一項に記載の太陽電池付き時計において、
前記太陽電池は、
前記発電層の表面に設けられた透明導電膜と、
前記透明導電膜の表面を覆う保護膜および導電膜と、を備える
ことを特徴とする太陽電池付き時計。
【請求項５】
請求項１から請求項４のいずれか一項に記載の太陽電池付き時計において、
前記絶縁層は、ポリエステルにより形成されている
ことを特徴とする太陽電池付き時計。
【発明の詳細な説明】
【技術分野】
【０００１】
本発明は、太陽電池を備えた太陽電池付き時計に関する。
【背景技術】
【０００２】
従来、太陽電池を備えた時計において、時計を薄型化するため、太陽電池と、太陽電池の裏面側に配置されたムーブメントとを、時計の厚さ方向において近づけて配置させる構成が知られている（例えば、特許文献１参照）。
特許文献１の時計では、外装ケースの内部に支持枠体が設けられ、この支持枠体によってムーブメントおよび太陽電池が保持されている。
【先行技術文献】
【特許文献】
【０００３】
【特許文献１】特開２００２−６０６５号公報
【発明の概要】
【発明が解決しようとする課題】
【０００４】
特許文献１の時計では、太陽電池は、ステンレス鋼板と、ステンレス鋼板の表面上に半導体層を積層して形成された発電層とを備えている。この時計では、ステンレス鋼板は、発電層の電極としては機能せず、ステンレス鋼板と発電層とは絶縁されている。
ところで、太陽電池には、ステンレス鋼板が発電層の電極を兼ね、発電層と電気的に導通しているものがある。
このような太陽電池を備えた時計において、特許文献１の時計のようにムーブメントと太陽電池とを近づけて配置させた場合、時計に静電気が印加されると、ムーブメントからステンレス鋼板に対して放電が起こり、ステンレス鋼板と電気的に導通している発電層が破壊されてしまうという問題があった。
【０００５】
本発明の目的は、静電気により太陽電池が破壊される可能性を低減できる太陽電池付き時計を提供することにある。
【課題を解決するための手段】
【０００６】
本発明の太陽電池付き時計は、発電層、および、前記発電層の裏面に設けられた導電性基板を備えた太陽電池と、前記太陽電池の裏面側に配置されたムーブメントと、を備え、前記導電性基板は、前記発電層の電極を構成し、前記導電性基板の裏面には、絶縁層が設けられていることを特徴とする。
【０００７】
絶縁層は、ムーブメントから太陽電池に対する放電を防ぐものである。絶縁層は、導電性部材により形成され、太陽電池に近接して配置されているムーブメントの構成部品（例えば、カレンダー押さえ等）と、時計表面側から見て重なる位置に少なくとも設けられている。
本発明によれば、導電性基板の裏面には絶縁層が設けられているため、時計に静電気が印加された場合に、太陽電池の裏面側に配置されたムーブメントから導電性基板に対して放電が起こる可能性を低減でき、静電気により太陽電池の発電層が破壊されることを抑制できる。
【０００８】
本発明の太陽電池付き時計において、前記絶縁層は、前記導電性基板の側面にも設けられていることが好ましい。
例えば、ムーブメントは導電性部材により形成された筒車を備え、太陽電池には、筒車の軸部が挿通される孔が形成されている。そして、この孔の内側面を構成する導電性基板の側面に、絶縁層が設けられている。
これによれば、時計に静電気が印加された場合に、筒車の軸部から導電性基板の側面に対して放電が起こる可能性を低減でき、静電気により太陽電池の発電層が破壊されることをさらに抑制できる。
【０００９】
本発明の太陽電池付き時計において、前記ムーブメントは、導電性部材により形成された筒車を備え、前記太陽電池付き時計は、前記筒車と前記太陽電池の間に配置され、導電性部材により形成された針座を備え、前記針座は、前記絶縁層に接していることが好ましい。
【００１０】
本発明によれば、針座は、導電性基板の裏面に設けられた絶縁層に接しているため、時計に静電気が印加された場合に、筒車から導電性基板に対して針座を介して静電気が印加される可能性を低減できる。これにより、静電気により太陽電池の発電層が破壊されることをさらに抑制できる。
【００１１】
本発明の太陽電池付き時計において、前記太陽電池は、前記発電層の表面に設けられた透明導電膜と、前記透明導電膜の表面を覆う保護膜および導電膜と、を備えることが好ましい。
【００１２】
本発明によれば、時計に静電気が印加された場合に、保護膜により覆われている透明導電膜の表面に対して外装ケース等から放電が起こる可能性を低減できる。また、導電膜により覆われている透明導電膜の表面に対して外装ケース等から直接放電が起こる可能性を低減できる。これらにより、透明導電膜が静電気により破壊されることをさらに抑制できる。
【００１３】
本発明の太陽電池付き時計において、前記絶縁層は、ポリエステルにより形成されていることが好ましい。
本発明によれば、ムーブメントから導電性基板に対しての放電を、効果的に抑制できる。
【図面の簡単な説明】
【００１４】
【図１】本発明の第１実施形態に係る時計の平面図である。
【図２】前記第１実施形態の時計の断面図である。
【図３】前記第１実施形態のムーブメントの平面図である。
【図４】前記第１実施形態の時計の筒車近傍の構成を示す断面図である。
【図５】前記第１実施形態の太陽電池構造体の平面図である。
【図６】図５のＡ−Ａにおける断面図である。
【図７】前記第１実施形態の太陽電池構造体の分解斜視図である。
【図８】前記第１実施形態の太陽電池の断面図である。
【図９】前記第１実施形態の太陽電池の電極引出部の断面図である。
【図１０】前記第１実施形態の配線基板の平面図である。
【図１１】図５の部分拡大図である。
【図１２】本発明の第２実施形態に係る時計の筒車近傍の構成を示す断面図である。
【発明を実施するための形態】
【００１５】
以下に、本発明の実施形態を図面に基づいて説明する。
［第１実施形態］
［時計の構成］
図１は、本実施形態に係る時計１の平面図である。図２は、時計１の断面図である。
時計１は、図１に示すように、所謂ソーラー発電型のアナログ式の腕時計として構成される。すなわち、時計１は、本発明の太陽電池付き時計を構成する。この時計１は、時計本体２と、両端が時計本体２に連結されたバンド３とを備えている。
【００１６】
時計本体２は、金属製または合成樹脂製の外装ケース４の内部に、透光性を有する文字板５を収容した構成である。外装ケース４の内部おいて、図２に示すように、文字板５の裏側にはムーブメント２０が配置される。ムーブメント２０と文字板５との間には、入射光により発電する太陽電池を備えた太陽電池構造体３０が配置される。ムーブメント２０、太陽電池構造体３０、文字板５は、外装ケース４の内周に取り付けられた文字板受けリング１４に支持される。
また、ムーブメント２０は、外装ケース４の内部に配置された中枠１５によって、時計表面側（裏蓋１７とは反対側）に押されている。中枠１５は、時計裏面側（裏蓋１７側）に突出した弾性部１５１を備え、弾性部１５１が裏蓋１７によって押されることで、ムーブメント２０を時計表面側に押す。これにともない、太陽電池構造体３０、文字板５も時計表面側に押される。また、文字板受けリング１４は、ムーブメント２０に固定されているため、ムーブメント２０が中枠１５によって時計表面側に押されることで、文字板受けリング１４も時計表面側に押される。
なお、中枠１５が、文字板受けリング１４を直接押す構成としてもよい。また、中枠１５ではなく、文字板受けリング１４に、ムーブメント２０を時計表面側に押す弾性部を設ける構成としてもよい。
文字板５の表側には、文字板５の周囲に沿って形成されたリング状のダイヤルリング１０が配置される。ここで、ダイヤルリング１０の表面は、外装ケース４に当接し、裏面には、ムーブメント２０を介して中枠１５によって押された文字板５の外周の表面および文字板受けリング１４の外周の表面が押しつけられている。すなわち、ダイヤルリング１０は、ムーブメント２０、太陽電池構造体３０、文字板５、文字板受けリング１４を受ける受け部として機能する。
また、ムーブメント２０を構成する四番車２１、二番車２２、および筒車２３の各軸部２１Ａ，２２Ａ，２３Ａは、太陽電池構造体３０および文字板５の各中心孔を貫通して表側に突出しており、各軸部２１Ａ，２２Ａ，２３Ａには秒針６、分針７、および時針８がそれぞれ取り付けられる。また、ムーブメント２０の裏面側には、回路ブロック１１と、回路押さえ１２が配置されている。回路押さえ１２は、アースばね１２１を備えている。
【００１７】
また、図１に示すように、文字板５には、日窓５Ａが設けられ、ムーブメント２０は、日窓５Ａからカレンダー情報としての日付を表示するカレンダー車としての日車２４を備える。
外装ケース４の３時位置の外部には、手動操作により分針７および時針８の針合わせを行うリューズ９が設けられている。外装ケース４の表側の開口部分は風防１６で塞がれ、裏側の開口部分は裏蓋１７によって塞がれる。
【００１８】
ムーブメント２０は、太陽電池構造体３０にて発電された電力で駆動される。このためムーブメント２０は、図２では詳細な図示を省略するが、太陽電池構造体３０からの電力を蓄電する二次電池、二次電池からの電力で駆動されるステッピングモーター、ステッピングモーターのロータかなに噛合する五番車、五番車に噛合する四番車（秒車）２１、四番車２１から順に減速されて回転が伝達される三番車、二番車２２、日の裏車、筒車２３を備える他、小鉄車を含む時刻修正輪列や、リューズ９、巻真、つづみ車、かんぬき、おしどりを含む時刻修正機構、これらの部品を支持する合成樹脂製の地板および各種受部材等を備えている。
このようなムーブメント２０は、地板の外周部分に設けられた複数の係止部２５１を介して、文字板受けリング１４に固定される。
また、回路ブロック１１は、太陽電池構造体３０が発電した電力の二次電池への蓄電および二次電池からステッピングモーターへの電力の供給を制御する駆動制御用の回路ブロックである。
【００１９】
ムーブメント２０には、表裏を貫通する２つの挿通孔２６（図２では１つのみ図示）が設けられている。各挿通孔２６の内部には、導電性および弾性を有する接続部材１３が圧縮された状態で挿通されている。本実施形態での接続部材１３としては、金属製の圧縮コイルばねが採用されているが、これに限らず、導電性を有した導電ゴム等であってもよい。
【００２０】
挿通孔２６の表側の開口は太陽電池構造体３０で覆われ、裏側の開口は回路ブロック１１で覆われている。太陽電池構造体３０および回路ブロック１１には、各挿通孔に対応した位置に電極が設けられている。２つの挿通孔が設けられるのは、正負の各電極に対応させるためである。各挿通孔を通して対向位置にある太陽電池構造体３０および回路ブロック１１の電極同士は、接続部材１３によって電気的に接続される。この際、接続部材１３が挿通孔内に圧縮された状態で挿通されていることから、その反力（付勢力）によって接続部材１３の両端と各電極とが良好に接触することになる。
なお、本実施形態では、太陽電池構造体３０は、後述するように２つの太陽電池３１，３２を備えているが、当該太陽電池３１，３２は、太陽電池構造体３０が備える後述する配線基板３３で直列接続されているため、接続部材１３は２つだけ設けられている。
【００２１】
［ムーブメントの内部構造］
図３は、ムーブメント２０を表面側から見た平面図である。図４は、時計１における筒車２３の近傍の構成を示す断面図である。
図３に示すように、ムーブメント２０を構成する日車２４は、プラスチック等の非導電性部材により円環状に形成され、地板２５の表面側に配置されている。
また、ムーブメント２０は、図３、図４に示すように、日車２４の表面側に、日車２４を押さえるカレンダー押さえとしての日車押さえ２８を備えている。日車押さえ２８は、金属等の導電性部材により略円形状に形成され、太陽電池構造体３０の裏面に対向して配置されている。本実施形態では、日車押さえ２８の表面と、太陽電池構造体３０の裏面との距離は、１００〜１５０μｍに設定されている。また、日車押さえ２８の中央には、各車２１〜２３の各軸部２１Ａ，２２Ａ，２３Ａが挿通される孔２８Ａが形成されている。また、日車押さえ２８は、金属製のねじ２８１によって、ムーブメント２０を構成する地板２５に固定されている。なお、本実施形態では、日車押さえ２８は、回路ブロック１１等のグランド部には電気的に接続されていない。
【００２２】
図４に示すように、ムーブメント２０を構成する筒車２３は、軸部２３Ａと、軸部２３Ａの時計裏面側に形成された歯車部２３Ｂとを備えている。歯車部２３Ｂは、地板２５に支持され、軸部２３Ａの時計表面側の先端は、文字板５の表面側に突出している。なお、軸部２３Ａの内側には、二番車２２および四番車２１の各軸部２２Ａ，２１Ａが配置されている。筒車２３、二番車２２、四番車２１は、金属等の導電性部材により形成されている。本実施形態では、筒車２３、二番車２２、四番車２１は、回路ブロック１１等のグランド部には電気的に接続されていない。
また、歯車部２３Ｂの表面と、太陽電池構造体３０との間には、円環状の板材であり、かつ、湾曲された針座１８が配置されている。針座１８は、金属等の導電性部材により形成されている。針座１８は、歯車部２３Ｂの表面と太陽電池構造体３０の裏面とで挟まれることで、歯車部２３Ｂを時計裏面側に付勢している。ここで、針座１８の内周縁は歯車部２３Ｂの表面に接し、外周縁は太陽電池構造体３０の裏面に接している。
【００２３】
［太陽電池構造体の構成］
図５は、太陽電池構造体３０を表側から見た平面図であり、図６は、図５のＡ−Ａにおける断面図である。図７は、太陽電池構造体３０を表側から見た分解斜視図である。
図５〜図７に示すように、太陽電池構造体３０は、太陽電池３１および太陽電池３２と、太陽電池３１，３２の裏面側に設けられた配線基板３３と、太陽電池３１，３２の裏面側に、配線基板３３を介して設けられた絶縁層３４とを備える。
【００２４】
［太陽電池の構成］
太陽電池３１，３２は、表面側から入射した光を受けて発電する積層体である。太陽電池３１，３２は、時計表面側から見て、半円形状を有し、太陽電池３１と太陽電池３２とで、円を構成するように配置される。
また、太陽電池３２には、各車２１〜２３の軸部２１Ａ，２２Ａ，２３Ａが挿通される孔３０１と、日車２４を視認させるための孔３０２が形成されている。
【００２５】
図８は、太陽電池３１，３２の断面図である。
図８に示すように、太陽電池３１は、裏面側から順番に、ＳＵＳ基板（ステンレス鋼板）３１１（以下、裏面電極３１１とも称する）と、Ａｌ層（アルミニウム層）３１２と、ＺｎＯ層（酸化亜鉛層）３１３と、発電層３１４と、ＩＴＯ（tin-doped indium oxide）膜３１５（以下、表面電極３１５とも称する）と、保護膜３１６とが積層されて構成されている。
【００２６】
ＳＵＳ基板３１１は、本実施形態においては、発電層３１４の電極（負極）として機能する。
Ａｌ層３１２は、表面に凹凸が形成され、ＩＴＯ膜３１５側から入射した光のうち、発電層３１４を透過した光を散乱して反射する層である。
ＺｎＯ層３１３は、発電層３１４とＡｌ層３１２との間で、光の屈折率を調整する層である。
【００２７】
発電層３１４は、例えば、本実施形態においては、３層構造（トリプルジャンクション構造）の多接合型の発電層である。発電層３１４は、ＺｎＯ層３１３側から順に、第１アモルファスシリコンゲルマニウム層（ａ−ＳｉＧｅ層）３１４Ａと、第２アモルファスシリコンゲルマニウム層３１４Ｂと、アモルファスシリコン層（ａ−Ｓｉ層）３１４Ｃとを備える。
第１アモルファスシリコンゲルマニウム層３１４Ａと第２アモルファスシリコンゲルマニウム層３１４Ｂとは、アモルファスシリコンにゲルマニウムがドープされることによって形成される。第１アモルファスシリコンゲルマニウム層３１４Ａと第２アモルファスシリコンゲルマニウム層３１４Ｂとの、ドープされているゲルマニウムの量は、それぞれ異なっている。第１アモルファスシリコンゲルマニウム層３１４Ａと、第２アモルファスシリコンゲルマニウム層３１４Ｂと、アモルファスシリコン層３１４Ｃとは、それぞれ吸収波長域が異なるように設定されている。ここで、第１アモルファスシリコンゲルマニウム層３１４Ａと、第２アモルファスシリコンゲルマニウム層３１４Ｂと、アモルファスシリコン層３１４Ｃとは、直列接続している。
【００２８】
ＩＴＯ膜３１５は、発電層３１４の電極（正極）として機能する透明な導電膜である。
保護膜３１６は、ＩＴＯ膜３１５を保護する膜である。保護膜３１６は、樹脂等の絶縁性部材で形成されている。
同様に、太陽電池３２も、ＳＵＳ基板３２１（以下、裏面電極３２１とも称する）と、Ａｌ層３２２と、ＺｎＯ層３２３と、発電層３２４（第１アモルファスシリコンゲルマニウム層３２４Ａ、第２アモルファスシリコンゲルマニウム層３２４Ｂ、アモルファスシリコン層３２４Ｃ）と、ＩＴＯ膜３２５（以下、表面電極３２５とも称する）と、保護膜３２６とが積層されて構成されている。
ここで、ＳＵＳ基板３１１，３２１は、本発明の導電性基板を構成する。なお、導電性基板として、他の導電性部材により形成された基板を用いてもよい。
また、ＩＴＯ膜３１５，３２５は、本発明の透明導電膜を構成する。なお、透明導電膜として、他の透明な導電性部材により形成された膜を用いてもよい。
【００２９】
図５〜図７に戻り、太陽電池３１は、半円形状を有する電池本体部３１７と、電池本体部３１７における太陽電池３１および太陽電池３２の境界線に沿った一方向の端部から突出した電池接続部３１８とを備える。
太陽電池３２は、半円形状を有する電池本体部３２７と、電池本体部３２７における前記一方向の端部から突出した電池接続部３２８とを備える。
また、太陽電池３２は、電池本体部３２７における電池本体部３１７に近づく方向の縁に、当該縁の中央から突出し、半円形状を有する突出部３２７Ａを有する。突出部３２７Ａには、各車２１〜２３の軸部２１Ａ，２２Ａ，２３Ａが挿通される孔３０１が形成されている。一方、電池本体部３１７における電池本体部３２７に近づく方向の縁は、突出部３２７Ａの形状に合わせて窪んでいる。
【００３０】
ここで、図４に示すように、軸部２３Ａの外周と太陽電池３２の孔３０１の内側面との距離は、時計１に１０ｋＶの静電気が印加された場合でも、軸部２３Ａから当該内側面、具体的には、ＳＵＳ基板３２１の側面に放電が起こらない距離に設定されている。当該距離は、例えば、４００μｍ以上であることが好ましい。なお、放電のし易さは、時計１の内部構造によって異なるため、当該距離は、時計の内部構造に応じて適宜設定してもよい。
また、太陽電池３２の孔３０１の内周は、時計表面側から見て、文字板５の中心孔５Ｂの内周よりも外側に位置している。すなわち、時計表面側から見て、筒車２３の軸部２３Ａの外周と太陽電池３２の孔３０１の内側面との距離は、軸部２３Ａの外周と文字板５の中心孔５Ｂの内側面との距離よりも長い。これによれば、時計１を組み立てる際、文字板５に対する太陽電池構造体３０の位置が多少ずれたとしても、文字板５を時計表面側から見たとき、文字板５の中心孔５Ｂから太陽電池３２が露出することを抑制できる。
【００３１】
図５、図７に示すように、各電池接続部３１８，３２８における互いに近づく方向の端部の表面には、保護膜３１６，３２６が設けられておらず、表面電極３１５，３２５が露出している。これらの保護膜３１６，３２６から露出している表面電極３１５，３２５の部分は、電極引出部３１５Ａ，３２５Ａを構成する。なお、表面電極３１５，３２５における電極引出部３１５Ａ，３２５Ａを除くその他の部分の表面は、保護膜３１６，３２６により覆われている。これにより、当該表面に対して、外装ケース４等から放電が起こる可能性を低減できる。
【００３２】
図９は、太陽電池３１の電極引出部３１５Ａの断面図である。
図９に示すように、発電層３１４の表面に設けられた電極引出部３１５Ａの表面には、導電膜３１９が設けられている。導電膜３１９は、例えば、カーボンペースト等の導電性ペーストを電極引出部３１５Ａの表面に塗布することで設けられる。導電膜３１９は、電極引出部３１５Ａの表面および側面を覆って設けられている。そして、保護膜３１６は、導電膜３１９の端部における表面まで連続して形成されている。
同様に、太陽電池３２の電極引出部３２５Ａの表面にも、導電膜が設けられている。
これにより、電極引出部３１５Ａ、３２５Ａの表面に対して、直接放電が起こる可能性を低減できる。
【００３３】
［配線基板の構成］
図１０は、配線基板３３を表面側から見た平面図である。
図１０に示すように、配線基板３３は、基材４０と、基材４０の表面および裏面にそれぞれ設けられた導電層と、基材４０の表面に設けられた粘着層６０とを有する。基材４０は、可撓性を有する材料により構成されている。基材４０には、例えば、ポリエステルフィルムが用いられる。導電層は、例えば、銀ペーストをスクリーン印刷することで形成されている。また、導電層における一部の電極上には、ヒートシール層が形成されている。ヒートシール層は、例えば、熱可塑性樹脂（ホットメルト）に導電樹脂粒子を分散させて得られる異方導電性塗料を、スクリーン印刷することで形成される。このような配線基板３３は、ヒートシールコネクター（ＨＳＣ）と称される場合もある。
【００３４】
基材４０は、半円状に形成された本体部４１を有している。本体部４１は、電池本体部３１７，３２７の外周に沿って湾曲した外周縁４１１を備えている。また、本体部４１には、接続部材１３１（図２の接続部材１３の１つ）が挿通される孔４１Ａが設けられている。
さらに、基材４０は、外周縁４１１から延出した基端部４２と、基端部４２から外周縁４１１に沿った一方向に連続した先端部４３と、基端部４２から外周縁４１１に沿った前記一方向の反対方向に連続した先端部４４とを有している。
【００３５】
基材４０の表面には、導電層により、電極５１１、配線５１２，５１３が設けられている。電極５１１は、本体部４１に位置している。なお、電極５１１上には、ヒートシール層５１４が設けられている。配線５１２は、基端部４２から先端部４３まで延在している。配線５１３は、基端部４２から先端部４４まで延在している。
【００３６】
基材４０の裏面には、導電層により、電極５２１，５２２，５２３、配線５２４，５２５が設けられている。電極５２１は、本体部４１に位置している。電極５２２は、先端部４３に位置し、先端部４３に設けられたスルーホールを介して表面側の配線５１２と接続されている。なお、電極５２２上には、ヒートシール層５２６が設けられている。電極５２３は、先端部４４に位置し、先端部４４に設けられたスルーホールを介して表面側の配線５１３と接続されている。なお、電極５２３上には、ヒートシール層５２７が設けられている。
配線５２４は、一端が電極５２１と接続され、他端が基端部４２まで延在し、基端部４２に設けられたスルーホールを介して表面側の配線５１２と接続されている。配線５２５は、本体部４１から基端部４２まで延在し、一端が本体部４１に設けられたスルーホールを介して表面側の電極５１１と接続され、他端が基端部４２に設けられたスルーホールを介して表面側の配線５１３と接続されている。
【００３７】
すなわち、先端部４３の裏面側の電極５２２は、配線５１２、配線５２４を経由して、本体部４１の裏面側の電極５２１に電気的に接続されている。先端部４４の裏面側の電極５２３は、配線５１３、配線５２５を経由して、本体部４１の表面側の電極５１１に電気的に接続されている。
【００３８】
このような配線基板３３は、図５〜図７に示すように、時計表面側から見て、本体部４１が電池本体部３１７，３２７と重なり、基端部４２および先端部４３，４４が電池本体部３１７，３２７とは重ならず、電池本体部３１７，３２７の外側に位置するように配置されている。そして、基端部４２は電池本体部３１７および電池本体部３２７の境界線上に位置し、先端部４３は電池接続部３１８と重なり、先端部４４は電池接続部３２８と重なっている。
そして、本体部４１は、電池本体部３１７，３２７の裏面側に位置し、電池本体部３１７，３２７の裏面に粘着層６０によって固定されている。
基端部４２は、本体部４１側の端が電池本体部３１７，３２７の裏面側に位置し、本体部４１とは反対側の端が電池接続部３１８，３２８の表面側に位置している。先端部４３，４４も、電池接続部３１８，３２８の表面側に位置している。
【００３９】
図１１は、図５の部分拡大図である。
図１１に示すように、配線基板３３の電極５１１は、ヒートシール層５１４を用いた熱圧着により、太陽電池３１のＳＵＳ基板３１１に接続される。また、配線基板３３の電極５２２は、ヒートシール層５２６を用いた熱圧着により、太陽電池３１の表面電極３１５の電極引出部３１５Ａに接続される。また、配線基板３３の電極５２３は、ヒートシール層５２７を用いた熱圧着により、太陽電池３２の表面電極３２５の電極引出部３２５Ａに接続される。
また、配線基板３３の電極５２１には、接続部材１３２が当接され、配線基板３３の孔４１Ａには、接続部材１３１が挿通される。孔４１Ａに挿通された接続部材１３１は、太陽電池３２のＳＵＳ基板３２１に当接している。
【００４０】
これにより、太陽電池３１の負極であるＳＵＳ基板３１１は、配線基板３３を介して太陽電池３２の正極である表面電極３２５の電極引出部３２５Ａと電気的に接続される。これにより、太陽電池３１と太陽電池３２とが直列に接続される。
また、太陽電池３１の正極である表面電極３１５の電極引出部３１５Ａは、配線基板３３、および、接続部材１３２を介して回路ブロック１１に電気的に接続され、太陽電池３２の負極であるＳＵＳ基板３２１は、接続部材１３１を介して回路ブロック１１に電気的に接続される。これにより、太陽電池３１，３２で発電された電気エネルギーは、回路ブロック１１を介して二次電池に蓄電される。
【００４１】
［絶縁層の構成］
絶縁層３４は、日車押さえ２８等のムーブメント２０の構成部品からＳＵＳ基板３１１，３２１への放電を防ぐためのものである。
絶縁層３４は、図６に示すように、基材３４１と粘着層３４２とが積層されて構成されている。本実施形態では、基材３４１は、絶縁性を有するポリエステルで形成されている。基材３４１の厚みは５０μｍであり、粘着層３４２の厚みは２８μｍである。なお、基材３４１は、他の絶縁性部材で形成されていてもよい。また、放電のし易さは、上述したように時計１の内部構造によって異なるため、絶縁層３４の厚みは、時計１の内部構造に応じて適宜設定してもよい。
【００４２】
絶縁層３４は、図５、図７に示すように、平面形状が略円形状に形成されている。絶縁層３４は、日車２４の日付を視認させるための矩形状に形成された孔３４Ａと、各車２１〜２３の軸部２１Ａ，２２Ａ，２３Ａが挿通される円形状に形成された孔３４Ｂとを備える。
絶縁層３４は、図５〜図７に示すように、太陽電池３１，３２の裏面側に、配線基板３３を間に介して配置されている。絶縁層３４は、粘着層３４２によって、電池本体部３１７，３２７の裏面と、配線基板３３の裏面とに固定され、これらの裏面を覆っている。これにより、太陽電池３１，３２が一体化されるとともに、配線基板３３が太陽電池３１，３２により強固に固定される。
【００４３】
ここで、絶縁層３４は、図４に示すように、時計表面側から見て、日車押さえ２８と重なる位置にも設けられている。すなわち、時計表面側から見て、絶縁層３４の孔３４Ｂの内周は、日車押さえ２８の孔２８Ａの内周よりも内側に位置し、絶縁層３４の外周は、日車押さえ２８の外周よりも外側に位置している。また、絶縁層３４の孔３４Ａは、日車押さえ２８の外周よりも外側、すなわち、日車押さえ２８と重ならない箇所に位置している。
また、時計表面側から見て、絶縁層３４の孔３４Ｂの内周は、針座１８の外周縁よりも内側に位置している。そして、針座１８の外周縁は、絶縁層３４の裏面に接している。
【００４４】
［第１実施形態の作用効果］
【００４５】
ＳＵＳ基板３１１，３２１の裏面には絶縁層３４が設けられているため、時計１に静電気が印加された場合に、日車押さえ２８からＳＵＳ基板３１１，３２１に対して放電が起こる可能性を低減でき、静電気により太陽電池３１，３２の発電層３１４，３２４が破壊されることを抑制できる。
【００４６】
針座１８は、絶縁層３４に接しているため、時計１に静電気が印加された場合に、筒車２３からＳＵＳ基板３１１，３２１に対して針座１８を介して静電気が印加される可能性を低減できる。これにより、静電気により発電層３１４，３２４が破壊されることをさらに抑制できる。
【００４７】
表面電極３１５，３２５の電極引出部３１５Ａ，３２５Ａを除く部分の表面は、保護膜３１６，３２６により覆われているため、外装ケース４等から当該表面に放電が起こる可能性を低減できる。また、電極引出部３１５Ａ，３２５Ａの表面は、導電膜により覆われているため、外装ケース４等から当該表面に対して直接放電が起こる可能性を低減できる。これらにより、表面電極３１５，３２５が静電気により破壊されることをさらに抑制できる。
【００４８】
絶縁層３４は、ポリエステルにより形成されているため、日車押さえ２８からＳＵＳ基板３１１，３２１に対しての放電を、効果的に抑制できる。
【００４９】
［第２実施形態］
図１２は、第２実施形態における時計の筒車２３の近傍の構成を示す断面図である。なお、時計１と同じ構成については、同じ符号を付与し、説明は省略する。
第２実施形態の時計では、図１２に示すように、太陽電池３２の孔３０１の内周は、時計表面側から見て、文字板５の中心孔５Ｂの内周と重なっている。すなわち、時計表面側から見て、筒車２３の軸部２３Ａの外周と太陽電池３２の孔３０１の内側面との距離は、軸部２３Ａの外周と文字板５の中心孔５Ｂの内側面との距離と等しい。これにより、太陽電池３２の面積を、第１実施形態と比べて広くすることができる。
そして、絶縁層３４は、太陽電池３２の裏面側から孔３０１内に延出し、孔３０１の内側面を構成する太陽電池３２の側面を覆っている。その他の構成は、時計１と同様である。
【００５０】
［第２実施形態の作用効果］
第２実施形態においても、第１実施形態と同様の構成により、同様の作用効果を得ることができる。さらに、第２実施形態では、次の効果を得ることができる。
すなわち、孔３０１の内側面を構成するＳＵＳ基板３２１の側面に、絶縁層３４が設けられているため、時計に静電気が印加された場合に、筒車２３の軸部２３ＡからＳＵＳ基板３２１の側面に対して放電が起こる可能性を低減でき、静電気により太陽電池３１，３２の発電層３１４，３２４が破壊されることをさらに抑制できる。
【００５１】
［他の実施形態］
なお、本発明は前記実施形態に限定されず、本発明の要旨の範囲内で種々の変形実施が可能である。
【００５２】
前記各実施形態では、絶縁層３４は、時計表面側から見て、日車押さえ２８と重なる位置だけではなく、日車押さえ２８と重なっていない位置にも配置されているが、本発明はこれに限定されない。すなわち、絶縁層３４は、時計表面側から見て、少なくとも日車押さえ２８に重なって配置されていればよい。
また、ムーブメント２０は、日車押さえ２８に代えて、または、日車押さえ２８に加えて、太陽電池３１，３２に近接して配置される他の導電性部品を備えていてもよい。この場合、絶縁層３４は、時計表面側から見て、少なくとも日車押さえ２８や他の導電性部品に重なって配置される。これにより、他の導電性部品からＳＵＳ基板３１１，３２１に対して放電が起こる可能性を低減できる。
例えば、前記各実施形態では、日車２４は、非導電性部材により形成されているが、本発明はこれに限定されず、アルミニウム等の導電性部材により形成されていてもよい。この場合、絶縁層３４は、時計表面側から見て、少なくとも日車２４の外周縁の外側まで伸びて配置され、日車２４を覆う。これにより、日車２４からＳＵＳ基板３１１，３２１に対して放電が起こる可能性を低減できる。
【００５３】
前記第２実施形態では、絶縁層３４は、太陽電池３２の孔３０１の内側面を構成するＳＵＳ基板３２１の側面にのみ形成されているが、本発明はこれに限らない。
例えば、絶縁層３４は、太陽電池３２の孔３４Ａの内側面を構成するＳＵＳ基板３２１の側面にも形成されていてよい。
【００５４】
前記各実施形態では、針座１８が設けられているが、本発明はこれに限定されない。すなわち、針座１８は設けられていなくてもよい。
また、前記各実施形態では、電極引出部３１５Ａ，３２５Ａの表面に導電膜が設けられているが、本発明はこれに限定されない。すなわち、導電膜は設けられていなくてもよい。
【００５５】
前記各実施形態では、日車押さえ２８、筒車２３は、回路ブロック１１等のグランド部に電気的に接続されていないが、本発明はこれに限定されない。すなわち、日車押さえ２８を、日車押さえ２８を地板２５に固定するねじ２８１等を介して、回路ブロック１１のグランド部に電気的に接続させる構成としてもよい。また、例えば、回路押さえ１２のアースばね１２１を四番車２１の軸部２１Ａの時計裏面側の端部に当接させることで、四番車２１と同じ輪列を構成している筒車２３を、回路ブロック１１のグランド部に電気的に接続させる構成としてもよい。これらによれば、日車押さえ２８や筒車２３からＳＵＳ基板３１１，３２１に対して放電が起こる可能性をより低減できる。
【００５６】
前記各実施形態では、発電層３１４，３２４は、３層構造で形成されているが、本発明はこれに限らない。例えば、単層構造でもよいし、２層構造、または、４層以上の多層構造でもよい。
【符号の説明】
【００５７】
１…時計、１８…針座、２０…ムーブメント、２３…筒車、２３Ａ…軸部、２３Ｂ…歯車部、２４…日車、３０…太陽電池構造体、３０１，３４Ａ，３４Ｂ…孔、３１，３２…太陽電池、３１１，３２１…ＳＵＳ基板（裏面電極）、３１４，３２４…発電層、３１５，３２５…ＩＴＯ膜（表面電極）、３１５Ａ，３２５Ａ…電極引出部、３１６，３２６…保護膜、３１９…導電膜、３３…配線基板、３４…絶縁層、３４１…基材、３４２…粘着層。
【図１】
2016118404.tif 000003
【図２】
2016118404.tif 000004
【図３】
2016118404.tif 000005
【図４】
2016118404.tif 000006
【図５】
2016118404.tif 000007
【図６】
2016118404.tif 000008
【図７】
2016118404.tif 000009
【図８】
2016118404.tif 000010
【図９】
2016118404.tif 000011
【図１０】
2016118404.tif 000012
【図１１】
2016118404.tif 000013
【図１２】
2016118404.tif 000014